(57)【要約】【課題】  片手操作で紙葉等の保持を可能とし、且つそのための機能も極めて斬新な構成により発揮させ、いわゆる小物のステーショナリグッツとしての面白さを発現させた新規なペーパー等のクリップ具の開発を試みたものである。【解決手段】  本発明のペーパー等のクリップ具Ｃは、挟持基片２と挟持駒５との接触部位における挟持ギャップ４ｇは、挟持駒５が駒保持スペース４の開放側に偏寄した状態で小さく、奥側に偏寄した状態で大きくなるように設定されると共に、挟持基片２と駒案内３との間隔である規制高さ４ｈは、それらのいずれか一方又は双方が弾性変形することにより変わることができるものであり、挟持基片２と挟持駒５との間に薄葉状の被保持体Ａを差し入れた場合には、挟持基片２と挟持駒５との間で維持する構成として成るものである。【選択図】図１
2015112791.tif 000002
【特許請求の範囲】
【請求項１】
支持基部と、この支持基部に一端を支持される挟持基片と、前記支持基部に支持され前記挟持基片に適宜の間隔を隔てて沿うように設けられる駒案内体と、これら挟持基片と駒案内体との間に形成される駒保持スペースにおいて遊動自在であって、且つ駒保持スペース開放側に偏寄傾向を有するように設けられる挟持駒とを具え、前記挟持基片と挟持駒との接触部位における挟持ギャップは、挟持駒が駒保持スペースの開放側に偏寄した状態で小さく、奥側に偏寄した状態で大きくなるように設定されると共に、挟持基片と駒案内との間隔である規制高さは、それらのいずれか一方又は双方が弾性変形することにより変わることができるものであり、挟持基片と挟持駒との間に薄葉状の被保持体を差し入れた場合には、挟持駒の奥部側の逃げ移動により、被保持体を挟持基片と挟持駒との間に受け入れ、その後この挟持状態を，前記挟持駒の開放側への偏寄傾向に伴う移動より、挟持基片と挟持駒との間で維持するようにしたことを特徴とするペーパー等のクリップ具。
【請求項２】
前記挟持駒は、自由転動する球体であることを特徴とする請求項１記載のペーパー等のクリップ具。
【請求項３】
前記挟持駒を開放側に向かって偏寄傾向を付与するにあたっては、開放側を下方に向けた重力作用により行うものであることを特徴とする請求項１または２記載のペーパー等のクリップ具。
【請求項４】
前記挟持駒案内体は、挟持駒を保持するにあたり、挟持基片との間隔を少なくとも拡開する方向に弾性変形自在に構成されていることを特徴とする請求項１、２または３記載のペーパー等のクリップ具。
【請求項５】
前記駒案内体は、金属線条様の部材で形成され、平面視でほぼ長円形の外ループから内ループに連続する形状を有し、且つ平面視で内ループ内側に挟持駒の自由転動範囲が設けられていることを特徴とする請求項１、２、３または４記載のペーパー等のクリップ具。
【請求項６】
前記支持基部には、これを貫通する穴として形成されたペンホルダ部が設けられていることを特徴とする請求項１、２、３、４または５記載のペーパー等のクリップ具。
【請求項７】
前記ペンホルダ部は、ペンより細径の開口を有する弾性保持片を具えることを特徴とする請求項６記載のペーパー等のクリップ具。
【発明の詳細な説明】
【技術分野】
【０００１】
本発明は、例えばパンフレット、メモ用紙などのペーパー資料類を壁面等に保持しておく場合に適切な、ペーパー等のクリップ具に関するものである。
【背景技術】
【０００２】
壁面、机の側面や抽出前面、更には冷蔵庫等の器具や、家具等の表面を利用して、備忘メモ等をペーパークリップにより保持させることが行われている。このためのペーパークリップの多くは、壁面に磁力や、粘着テープにより固定される基板に対し、バインダー状のクリップ片を弾性的に開閉自在に設け、ここにペーパー等の被保持体を挟むようにしている。
これらの従来手法は、いわば定番化しているものであって、見方によってはインテリアアイテムとしての面白さは殆どなく、このこと自体期待されていない。
このようないわば定番化した商品であることに因み、その使い勝手に不都合があるとの認識が殆ど生じないまま使用されているが、使い勝手の視点から見ると未だ改良の余地が充分に見出せる。
即ちこの種のペーパークリップは、必ず両手で操作することが必要であり、一方の手でクリップを開き、他方の手でメモ用紙などの被保持体を開いたクリップ間に差し入れなければならない。更に加えて、別の紙葉が既にクリップされている場合、往々にしてクリップ片を開放した瞬間、それらが落下散乱することが多く、苛立ちを伴った煩わしさを感じさせることをしばしば経験する。
【０００３】
もちろん、このような定番化した構造について見直し、真球金属ボールを利用して、紙葉を挟む手法も提案されている（先行技術文献１、２、３）。
しかしながら、それらは、せっかく金属球という意外性を伴った部材を使用しながらも、それをインテリアグッツとしての面白さを発現するほどには活かしていない。即ち、金属球は、あくまで外周上は覆われており、その作動の様子は観察できず、結果的に作動の面白さが使用者に伝わり切れないこともあってか、市場には殆ど提供されていない。
【先行技術文献】
【特許文献】
【０００４】
【特許文献１】特開平０７−３１４９６５号公報
【特許文献２】実開昭５０−０２５６１６号公報
【特許文献３】特開平０６−０９９６８８号公報
【発明の概要】
【発明が解決しようとする課題】
【０００５】
本発明は、これらの従来技術の問題等の背景を考慮してなされたものであって、片手操作で紙葉等を保持させることを可能とし、且つそのための機能も極めて斬新な構成により発揮させ、いわゆる小物のステーショナリグッツとしての面白さをも発現させることのできる新規なペーパー等のクリップ具の開発を試みたものである。
【課題を解決するための手段】
【０００６】
請求項１記載のペーパー等のクリップ具は、支持基部と、この支持基部に一端を支持される挟持基片と、前記支持基部に支持され前記挟持基片に適宜の間隔を隔てて沿うように設けられる駒案内体と、これら挟持基片と駒案内体との間に形成される駒保持スペースにおいて遊動自在であって、且つ駒保持スペース開放側に偏寄傾向を有するように設けられる挟持駒とを具え、前記挟持基片と挟持駒との接触部位における挟持ギャップは、挟持駒が駒保持スペースの開放側に偏寄した状態で小さく、奥側に偏寄した状態で大きくなるように設定されると共に、挟持基片と駒案内との間隔である規制高さは、それらのいずれか一方又は双方が弾性変形することにより変わることができるものであり、挟持基片と挟持駒との間に薄葉状の被保持体を差し入れた場合には、挟持駒の奥部側の逃げ移動により、被保持体を挟持基片と挟持駒との間に受け入れ、その後この挟持状態を，前記挟持駒の開放側への偏寄傾向に伴う移動より、挟持基片と挟持駒との間で維持するようにしたことを特徴として成るものである。
【０００７】
請求項２記載のペーパー等のクリップ具は、前記請求項１記載の要件に加え、前記挟持駒については、自由転動する球体であることを特徴として成るものである。
【０００８】
請求項３記載のペーパー等のクリップ具は、前記請求項１または２記載の要件に加え、前記挟持駒を開放側に向かって偏寄傾向を付与するにあたっては、開放側を下方に向けた重力作用により行うものであることを特徴として成るものである。
【０００９】
請求項４記載のペーパー等のクリップ具は、前記請求項１、２または３記載の要件に加え、前記駒案内体については、挟持駒を保持するにあたり、挟持基片との間隔を少なくとも拡開する方向に弾性変形自在に構成されていることを特徴として成るものである。
【００１０】
請求項５記載のペーパー等のクリップ具は、前記請求項１、２、３または４記載の要件に加え、前記挟持駒案内体については、金属線条様の部材で形成されて、平面視でほぼ長円形の外ループから内ループに連続する形状を有し、且つ平面視で内ループ内側に挟持駒の自由転動範囲が設けられていることを特徴として成るものである。
【００１１】
請求項６記載のペーパー等のクリップ具は、前記請求項１、２、３、４または５記載の要件に加え、前記支持基部には、これを貫通する穴として形成されたペンホルダ部が設けられていることを特徴として成るものである。
【００１２】
請求項７記載のペーパー等のクリップ具は、前記請求項６記載の要件に加え、前記ペンホルダ部については、ペンより細径の開口を有する弾性保持片を具えることを特徴として成るものである。
【発明の効果】
【００１３】
まず請求項１記載の発明によれば、挟持駒が駒保持スペースにおいて遊動自在であって、駒保持スペース開放側に偏寄傾向を有するように設けられているから、挟持基片と挟持駒との間にペーパー等の薄葉状の被保持体を差し込むだけの操作で、挟持駒が挟持駒の奥部側に逃げ移動し、被保持体を挟持基片と挟持駒との間に受け入れられる状態とし、その後挟持駒が具えている開放側への偏寄傾向により、挟持基片と挟持駒との間の挟持ギャップを狭め、ここに被保持体を咥え込むような状態となる。これによっていわゆるワンタッチで被保持体をクリップ部に対し、保持させることができる。
【００１４】
また請求項２記載の発明によれば、挟持駒は、自由転動する球体であり、極めてシンプルな形状であり、且つ面白みのある作動を伴った構成が得られる。
【００１５】
また請求項３記載の発明によれば、挟持駒を開放側に偏寄傾向を付与するにあたっては、開放側を下方に向けた重力作用により行うものであるから、そのクリップ具の構成をより簡単なものとすることができる。
【００１６】
また請求項４記載の発明によれば、挟持駒案内体は、挟持基片との間隔を拡開する方向に弾性変形自在に構成されており、挟持駒と挟持基片とによるペーパー等の保持作用がより確実になされる。
【００１７】
また請求項５記載の発明によれば、挟持駒案内体は、金属線状の部材で形成されて、全体として長円形の外ループから内ループに連続する長円渦巻き形状を有し、これにより駒案内体自体の弾性変形自在な構成を現出させ、また合理的に挟持駒の自由転動範囲が設定し得る。
【００１８】
また請求項６記載の発明によれば、支持基部には、これを貫通する穴として、ペンホルダ部が設けられており、メモ用紙等が被保持体として用いられた場合には、これに書き入れる筆記具を至近位置に用意し得るものであり、利便性を向上させることができる。
【００１９】
また請求項７記載の発明によれば、ペンホルダ部は、ペンより細径の開口を有する弾性保持片を具えており、筆記具を緩衝的に保持することができるとともに筆記具の太さの多少の変化にも対応しながら常に安定してこれを咥え込み状態に保持することができる。
【図面の簡単な説明】
【００２０】
【図１】本発明のペーパー等のクリップ具並びにその使用状態を示す斜視図である。
【図２】同上クリップ具の側面図並びに正面図である。
【図３】同上クリップ具の平面図並びに横断面図、並びに底面図である。
【図４】同上クリップ具の挟持駒と、駒保持スペースを形成する挟持基片並びに挟持駒案内体との位置関係、寸法関係を示す側面図及び縦断正面図である。
【図５】同上クリップ具の挟持作用を順次示す側面図である。
【図６】同上クリップ具の他の実施例を示す側面図である。
【図７】同上クリップ具の更に他の実施例を示す一部縦断側面図である。
【図８】同上クリップ具の更に他の実施例を示す斜視図である。
【図９】同上クリップ具の挟持駒の他の実施例を示す斜視図である。
【図１０】同上クリップ具の挟持駒を開放側へ偏寄させる他の手法を示す縦断側面図である。
【図１１】同上クリップ具の挟持駒を偏寄させる更に他の手法を示す側面図である。
【図１２】同上クリップ具の挟持駒の他の挟持手法を示す側面図である。
【図１３】同上クリップ具にオーナメントを付加した実施例を示す平面図である。
【発明を実施するための形態】
【００２１】
本発明を実施するための形態は、以下述べる実施例をその一つとするものであると共に、この技術思想に基づく種々の改良した実施例も含むものである。
【実施例１】
【００２２】
以下、本発明を図示の実施例に基づいて具体的に説明する。
第一の実施例としては、図１から図５に示すものであって、意匠的形態、作用効果、作動の面白さ、シンプルさを兼ね備えた具体的な形態の一例である。
先ず本発明のペーパー等のクリップ具Ｃ（以下、クリップ具Ｃという）は、例えば屋内の壁面、机の前面、それらの抽出の前面、家具の前面、更にはキッチン周りに配置されることが多い冷蔵庫の扉面（図１（ｂ）参照）や更には自動車のダッシュボード（図１（ａ）参照）等の取付面Ｗに固定され、メモ用紙、レシート、その他の薄葉状のものを一例とする被保持体Ａを保持するものである。もちろん被保持体Ａとしては、薄板状のカード類も当然適用し得るものである。
このクリップ具Ｃの基本構成は、支持基部１と、その支持基部１に一端を支持される挟持基片２と、この支持基部１に一端を支持され、挟持基片２に沿うように設けられる駒案内体３とが一体に構成され、この前記挟持基片２と前記駒案内体３とに挟まれた部位を駒保持スペース４として、ここに挟持駒5 を遊動自在に支持する構成を採る。以下これら構成部材について詳細に説明する。
【００２３】
まず支持基部１は、一例として側面視矩形状をなす縦扁平状のものであり、例えば金属素材をロストワックス等の手法により成形し、前記挟持基片２と駒案内体３とを一体的に構成するものである。
この支持基部１には、その側面を貫通する穴として形成されたペンホルダ部１１が設けられるものであり、一例としてその中間位置に弾性保持片１２が設けられている。この弾性保持片１２は、保持孔１２ａを有するものであり、この保持孔１２ａは、ペン等の筆記具ｐの太さより細くした保持孔として構成される。なお弾性保持片１２は、ペンホルダ部１１に対してグロメット状に嵌め込んで設けてもよいが、この実施例では支持基部１に形成した保持片挿入スリット１３にシート状の弾性保持片１２を挿し込むような形態として組み付けている。このような支持基部１に対し、挟持基片２が設けられる。
【００２４】
以下挟持基片２について説明する。この挟持基片２は、一例として舌片状の部材であって、前記支持基部１の基面側において一端が支持されるように延長形成される。なおここで基面側として説明するのは、次に述べるようにクリップ具Ｃを取付面Ｗに固定するにあたって直接固定される側を指す。
挟持基片２の底面側は、図３（ｃ）に示すように前記支持基部１の基面と、ほぼ同一面となるように構成され、そこに固定部材２１を設ける。この固定部材２１は、本発明のクリップ具Ｃを適宜の場所に固定するための手段であって、一例として磁石片２１ａを長手方向中心線上に整列させて、設けると共にその周囲に両面粘着テープを適用した粘着剤２１ｂが設けられている。従って、クリップ具Ｃを固定する取付面Ｗは、磁性体である場合、例えばスチール製デスク、あるいは冷蔵庫の金属製扉等である場合には磁石片２１ａが作用して取り付けることができる。またクリップ具Ｃを固定する取付面Ｗが、磁性体でない場合、粘着剤２１ｂを作用させて固着させることができる。もちろん、取付面Ｗが磁性体である場合、磁石片２１ａとともに粘着剤２１ｂの双方を作用させて、その固着をより確実なものとすることができる。
そして挟持基片２の先端部上面は、幾分か先下がり状に傾斜させ、これを挿入案内面２２とする。このような挟持基片２に対し、ほぼ沿うように一定間隔をあけて駒案内体３が設けられる。
【００２５】
以下、この駒案内体３について説明する。この駒案内体３は、一例として、金属線条様の部材を適用したものであり、ほぼ長円形を描く外ループ３１から内ループ３２へ連続するような形状を具える。その平面視の形状は、粗く巻いたゼムクリップ状と呼べるような形態を採り、特に内ループ３２の範囲では弾性的に変位する。
このような駒案内体３は、全体として側面視で先端側を前記挟持基片２側に偏向させるように湾曲させた先下がり部３３を有するものであり、外ループ３１から内ループ３２まで連続している境界範囲から先端側が先下がり部３３となっている。また前記外ループ３１の支持基部１側においては、基部補強部３４が設けられている。なおこの実施例としては、クリップ具Ｃの支持基部１、挟持基片２、駒案内体３とは一体的な部材としてロストワックス等の手法で構成されているが、駒案内体３については、別途金属線材を曲成したものをロウ付け等により支持基部１に固着させてもよい。このような駒案内体３と挟持基片２との間を駒保持スペース４とする。
【００２６】
以下この駒保持スペース４について説明する。この駒保持スペース４は、挟持基片２及び駒案内体３の先端においては開放されており、ここを開放部４１とする。なお、開放部４１側をクリップ具Ｃ全体、あるいは挟持基片２、駒案内体３についての説明において、開放側あるいは開放端として説明する場合もある。一方、この開放部４１の反対側、即ち支持基部１側を奥部４２とするものであり、必要に応じてクリップ具Ｃ全体あるいは挟持基片２、駒案内体３についても、奥部と表現する場合もある。
この駒保持スペース４における挟持基片２と駒案内体３との間隔の寸法を規制高さ４ｈとする。この規制高さ４ｈは、前記駒案内体３が弾性的に変形する関係で図４Ｃ（２）に示すように変わることがある。この駒保持スペース４内に挟持駒５を遊動状態に支持する。
【００２７】
以下、この挟持駒５について説明する。この挟持駒５は、一例として真球状駒５１を適用するものであり、このものは前記挟持基片２に一点で接触支持される一方、その反対側では、駒案内体３の規制を受けて、これと２点で接触し挟持基片２上からは、はみ出さない範囲に組み付けられている。ここで、駒保持スペース４における規制高さ４ｈ及び保持ギャップ４ｇについて説明する。図４に示すように挟持基片２と駒案内体３との間において、特に内ループ３２に注目すると、その間の規制高さ４ｈは、真球状駒５１の直径Ｄより幾分か小さい寸法に設定されており、結果的に駒保持スペース４内で挟持駒５が移動できるものの、外部には逃げ出すことができない寸法に設定されている。
そして規制高さ４ｈは、側面視で見ると前記駒案内体３の先下がり部３３の存在により、その先端側の規制高さ４ｈ0 は、その奥部側の規制高さ４ｈ1 より小さい寸法に設定されている。そして、挟持駒５が駒案内体３の内ループ３２の部位に上端２点において接触した状態において、挟持基片２との間に形成される隙間の寸法を保持ギャップ４ｇとするものである。この保持ギャップ４ｇは、挟持駒５が最も開放部４１側に移動した際には０となり、奥部４２に行くに従い保持ギャップ４ｇは増加する。
更にこの実施例では、前記駒案内体３は、外ループ３１、内ループ３２が連続した金属線条様の部材で構成されていることから、それ自体弾性変形をする。その弾性変形を見込んだ場合、保持ギャップ４ｇの寸法は、図４Ｃ（２）に示すように増加方向に変化するものであり、この変化は実質的に規制高さ４ｈの変化でもある。因みに本実施例のように連続した線材で駒案内体３を形成した場合、線材の先端側、即ち内ループ３２側での撓み量は、外ループ３１におけるより多い。むしろ外ループ３１の変形は殆どない。従って真球状の挟持駒５は、外ループ３１の規制により、駒保持スペース４からは外れるおそれは殆どない。
【００２８】
本発明のクリップ具Ｃは、以上述べた形態を基本的な形態とするものであり、以下のように用いられる。
挟持駒５は、駒保持スペース４に対し、その開放側に偏寄することが条件となっており、従って図面において挟持基片２を水平状態に配置した状態を表示しているが、実際には挟持基片２は壁面等に開放側を下に向けて垂直に配置されている。従って挟持駒５の駒保持スペース４における開放部４１側への偏寄傾向は、その自重による落下により付与されている。このような状態で用いる場合には、まずクリップ具Ｃを例えば磁石を利用して金属部材等の取付面Ｗに設けたり、あるいは両面粘着テープ等の剥離紙を外して、粘着剤２１ｂを露出して適宜の柱等の取付面Ｗに接着固定する。
その後使用にあたっては、図５に示すように挟持基片２と挟持駒５との間にその下側からペーパー等の被保持体Ａを単に挿し込む操作を行う（図５（ａ）参照）。
【００２９】
このような操作を行うことにより、被保持体Ａは挿入される動きに伴い、図５（ｂ）に示すように、挟持駒５を挟持基片２側において摺擦するような状態となり、これを回転させながら、その間に差し入れられる。その結果、挟持駒５は、前記挟持基片２と反対側において駒案内体３に接する状態ながらも回転して、駒保持スペース４の奥部４２に転動するような移動を行う。この結果、当初挟持基片２と挟持駒５との接触点において、保持ギャップ４ｇが全く存在していなかったにもかかわらず、挟持駒５が、駒保持スペース４の奥部寄り、即ち上部側に移動して、挿し込まれる被保持体Ａの厚みに応じた保持ギャップ４ｇの寸法を確保する（図５（ｃ）参照）。そしてこの後、被保持体Ａの挿入動作をそのまま停止させれば、挟持駒５は駒案内体３との接点が規制されながら下方への偏寄傾向により幅狭となった駒保持スペース４の下方側に偏寄する。これにより結果的に挟持駒５は、図５（ｄ）に示すように挟持基片２側に一定の力で押し付けられるような状態となり、これが被保持体Ａの保持力となってペーパー等の被保持体Ａを保持する。
なおこの際、多少の注意が必要であるものの、これに重ねるように更に新たな被保持体Ａを挿し込んだとしても、それまで保持されていた被保持体Ａが落下することがなく、ワンタッチで挟み込み枚数を増加することもできる。一方、これを外す時には、側方に被保持体Ａを移動させることにより挟持駒５の下方への偏寄傾向に影響されずに挟持駒５が回転し、その抜き取りが可能となる。因みにこのような動きは、駒案内体３を金属線条様の部材で構成したときには、全て目視でき、被保持体Ａをクリップする際の作動態様が観察できることから使用にあたってのその面白さや興趣が沸くものである。
なおこのような被保持体Ａがメモ用紙である場合には、更にメモ用紙に書き加えることも予想されるので、前記支持基部１におけるペンホルダ部１１にボールペン、フェルトペン等を挿し込んでおく。
【００３０】
［他の実施の形態] 
本発明は以上述べた実施の形態を一つの基本的な技術思想とするものであるが、更に次のような改変が考えられる。
まず挟持基片２と駒案内体３との関係について述べると、例えば図６に示すように駒案内体３が先下がり部３３を構成して被保持体Ａの楔作用による保持を可能としているが逆に挟持基片２を開放側において幾分か駒保持スペース４側に側面視で肉厚となるような形態として、駒保持スペース４の開放部４１側の規制高さ４ｈ0 が低くなるような形態とすこともできる。
このとき対向する駒案内体３について、好ましくは弾性変形し得るような形態とすることが好ましいが、必ずしも製造上挟持駒５の挿入が可能であれば、積極的に弾性変形しない形態であっても差し支えない。
【００３１】
更に駒案内体３について挟持基片２に対して弾性変形し得る方法としては、図７（ａ）に示すように例えば支持基部１を利用してその中に駒案内体３を付勢するためのスプリング６を配置する一方、駒案内体３は、その基部寄りに回動部７を設けて駒保持スペース４を拡開方向に拡げ得るような形態を採ってもよい。
【００３２】
また図７（ｂ）に示すような実施例は、挟持基片２についても同様な構成を採り、双方が鋏状に拡開するような形態を採ったものである。
更にまた図８に示す実施例は、例えばクリップ具Ｃの全体構成を金属線材ですべて構成するものである。即ち、挟持基片２から駒案内体３に至る間を金属線材で連続させて構成するものであり、結果的に挟持基片２から駒案内体３に素材を連続させるために、その基部側で立ち上げ状に曲成させた部分が支持基部１となり得る。
【００３３】
挟持駒５については、先に述べた実施例は真球状駒５１であったが、図９に示すようなローラー状駒５２、紡錘状駒５３とすることも差し支えない。
また前記挟持駒５を駒保持スペース４の開放側に偏寄させる手段として、駒保持スペース４の開放部４１を下側に配置して、挟持駒５自体の重力による落下傾向をその偏寄傾向としているものであるが、強制的に図１０に示すような押圧片５５に偏寄傾向を付与してもよい。この押圧片５５は、スライドロッド５５ａに対し、その先端に接触片５５ｂを設け、この押圧片５５全体を付勢スプリング５５ｃにより開放部４１側へ突出させるような構成を採ったものである。
【００３４】
また図１１に示す実施例は、挟持基片２を利用して、その開放部４１に吸引磁石片５６を設け、これにより磁力の作用により挟持駒５を開放部４１側に常時偏寄させる構成としてもよい。
更に前記挟持駒５については、挟持基片２、駒案内体３等に対して固着状態ではなかったが、これを一定部位で接続させるような用いることも可能である。即ち図１２に示す実施例は、挟持駒５を側面視でほぼ扇状の部材で構成し、その要となる部位を駒案内体３に対して、ピン３６より回転自在に支持させるようにする。そしてこのピン３６の中心と前記挟持駒５の外周縁の直径を異ならせ、奥部よりの直径寸法を大きくし、開放側の直径寸法を小さくするような形態とする。このような場合にも自重により挟持駒５は、駒保持スペース４の開放部４１側に全体として偏寄する傾向を常に有し、この挟持駒５と挟持基片２との間で被保持体Ａを保持することができる。
【００３５】
以上述べた種々の実施例は、挟持作用を行う各部材に関する変形例であるが、更にいわゆる商品性を向上させるために、例えば図１３に示すようなオーナメント９をその表面に例えば駒案内体３上に設けることができる。
本発明は、以上述べた構成を有するものであり、挟持駒５自体が駒保持スペース４の下方に偏寄傾向を有する状態であれば、必ずしも垂直面に設ける必要はなく、水平面に設けることも可能である。
また保持作用を確実にするためには、図示を省略するが例えば同様の構造のクリップ具Ｃがあたかも併設されたような形態とすることも可能である。
また被保持体Ａとしては、ペーパー、カード等の薄葉状のものであれば保持対象となる。
【符号の説明】
【００３６】
Ｃ      クリップ具
Ｗ      取付面
Ａ      被保持体
ｐ      筆記具
Ｄ      直径
１      支持基部
１１    ペンホルダ部
１２ａ  保持孔
１２    弾性保持片
１３    保持片挿入スリット
２      挟持基片
２１    固定部材
２１ａ  磁石片
２１ｂ  粘着剤
２２    挿入案内面
３      駒案内体
３１    外ループ
３２    内ループ
３３    先下がり部
３４    基部補強部
３６    ピン
４      駒保持スペース
４ｈ    規制高さ
４ｈ0   先端側の規制高さ
４ｈ1   奥部側の規制高さ
４ｇ    保持ギャップ
４１    開放部
４２    奥部
５      挟持駒
５１    真球状駒
５２    ローラー状駒
５３    紡錘状駒
５５    押圧片
５５ａ  スライドロッド
５５ｂ  接触片
５５ｃ  付勢スプリング
５６    吸引磁石片
６      スプリング
７      回動部
９      オーナメント
【図１】
2015112791.tif 000003
【図２】
2015112791.tif 000004
【図３】
2015112791.tif 000005
【図４】
2015112791.tif 000006
【図５】
2015112791.tif 000007
【図６】
2015112791.tif 000008
【図７】
2015112791.tif 000009
【図８】
2015112791.tif 000010
【図９】
2015112791.tif 000011
【図１０】
2015112791.tif 000012
【図１１】
2015112791.tif 000013
【図１２】
2015112791.tif 000014
【図１３】
2015112791.tif 000015